(57)【特許請求の範囲】
【請求項１】
本体部に設けられた凹部に対して爪研ぎ部を着脱自在とした猫用爪研ぎ器において、
前記爪研ぎ部は、互いに接合されずに重ねられた複数の段ボール片を重なり方向に延びる板状部材の表面に接合して形成され、
前記凹部は、開口長が底面長より短く形成され、前記開口長が前記重なり方向における前記爪研ぎ部の長さより短く形成されている、
猫用爪研ぎ器。
【請求項２】
前記本体部における前記凹部が設けられた面は、前記凹部が設けられる部分が他の部分より窪むように前記本体部の長手方向に湾曲している、請求項１に記載の猫用爪研ぎ器。
【請求項３】
前記凹部は、前記本体部の短手方向の中央部に設けられた第１の凹部と、前記本体部の短手方向の両側部に設けられて前記第１の凹部より深い第２の凹部とを有し、
前記爪研ぎ部の短手方向の両側部には、前記第２の凹部に係合する係合部が設けられている、請求項１又は２に記載の猫用爪研ぎ器。
【請求項４】
前記凹部は、前記第２の凹部に設けられて前記第２の凹部より深い第３の凹部を有し、
前記第３の凹部は、前記凹部に前記爪研ぎ部が取り付けられた状態で前記本体部の側面に露出している、請求項３に記載の猫用爪研ぎ器。
【請求項５】
前記爪研ぎ部は、前記凹部に対向する第１の面と、前記第１の面とは反対の第２の面とを有し、
前記第２の面には、段ボールの紙幅方向と交差する面が露出している、請求項１〜４のいずれか一項に記載の猫用爪研ぎ器。
【発明の詳細な説明】
【技術分野】
【０００１】
本発明は、猫の爪研ぎに用いる猫用爪研ぎ器に関する。
【背景技術】
【０００２】
一般に、猫は、爪を研ぐ習性があり、家の柱、壁、床、家具、敷物等を引っ掻いて損傷させることがある。このような損傷を回避するための猫用爪研ぎ器として、従来、例えば実用新案登録第３１７３４０３号公報に記載されるように、段ボール片を重ねて形成された爪研ぎ器が知られている。この爪研ぎ器は、本体部に設けられた凹部に対して爪研ぎ部を着脱自在としている。この爪研ぎ器では、猫の爪研ぎにより損傷した爪研ぎ部を交換することにより、長期間の使用が可能となる。
【先行技術文献】
【特許文献】
【０００３】
【特許文献１】実用新案登録第３１７３４０３号公報
【発明の概要】
【発明が解決しようとする課題】
【０００４】
ところで、このような爪研ぎ器では、本体部への爪研ぎ部の着脱形態によっては、交換時に爪研ぎ部の取付けが難しくなったり、爪研ぎ時に爪研ぎ部が外れ易くなったりすることがある。
【０００５】
そこで、本発明は、簡素な構造によって、交換時における爪研ぎ部の取付けを容易にするとともに、爪研ぎ時における爪研ぎ部の外れを防止することができる猫用爪研ぎ器を提供しようとするものである。
【課題を解決するための手段】
【０００６】
本発明に係る猫用爪研ぎ器は、本体部に設けられた凹部に対して爪研ぎ部を着脱自在としたものである。猫用爪研ぎ器において、爪研ぎ部は、互いに接合されずに重ねられた複数の段ボール片を重なり方向に延びる板状部材の表面に接合して形成され、凹部は、開口長が底面長より短く形成され、開口長が重なり方向における爪研ぎ部の長さより短く形成されている。
【０００７】
本発明に係る猫用爪研ぎ器において、爪研ぎ部は、互いに接合されずに重ねられた複数の段ボール片を重なり方向に延びる板状部材の表面に接合して形成されているので、板状部材を曲げることにより、重なり方向に沿って爪研ぎ部を容易に撓ませることができる。
【０００８】
そして、凹部は、開口長が底面長より短く形成され、開口長が重なり方向における爪研ぎ部の長さより短く形成されている。このため、重なり方向に沿って爪研ぎ部を撓ませて開口長より短くすることにより、爪研ぎ部を凹部へ容易に進入させて取り付けることができる。また、凹部へ進入した爪研ぎ部が撓み状態を解かれて開口長より長く復元することにより、爪研ぎ部を凹部から容易に外れ難くすることができる。
【発明の効果】
【０００９】
本発明によれば、簡素な構造によって、交換時における爪研ぎ部の取付けを容易にするとともに、爪研ぎ時における爪研ぎ部の外れを防止することができる猫用爪研ぎ器を提供することができる。
【図面の簡単な説明】
【００１０】
【図１】本発明の実施形態に係る猫用爪研ぎ器を示す斜視図である。
【図２】図１に示す爪研ぎ器の分解斜視図である。
【図３】図２のIII−III線沿いの断面図である。
【図４】図２のIV−IV線沿いの断面図である。
【図５】爪研ぎ部の取付け手順を示す断面図である。
【図６】爪研ぎ時に爪研ぎ面に作用する力を示す断面図である。
【発明を実施するための形態】
【００１１】
以下、添付図面を参照して、本発明の実施形態に係る猫用爪研ぎ器について詳細に説明する。なお、図面の説明において同一の要素には同一の符号を付し、重複する説明を省略する。
【００１２】
以下では、図１から図４を参照して本発明の実施形態に係る猫用爪研ぎ器の構成について説明する。図１は、本発明の実施形態に係る猫用爪研ぎ器を示す斜視図である。図２は、図１に示す爪研ぎ器の分解斜視図である。図３は、図２のIII−III線沿いの断面図であり、図４は、図２のIV−IV線沿いの断面図である。
【００１３】
爪研ぎ器は、猫の爪研ぎに用いるものである。図１から図４に示すように、爪研ぎ器は、本体部１０に設けられた凹部２０に対して爪研ぎ部３０を着脱自在としている。
【００１４】
爪研ぎ部３０は、複数の段ボール片を重ねて形成される。なお、段ボールの中芯の波に対して平行な辺の長さを紙幅といい、波に対して垂直な辺の長さを流れという。
【００１５】
まず、本体部１０について説明する。なお、以下では、本体部１０において凹部２０が設けられる側の面を「表面」、これと反対側の面を「裏面」という。また、本体部１０において凹部２０に取り付けられる爪研ぎ部３０が横断する方向を「短手方向」、これと直交して本体部１０が延びる方向を「長手方向」という。
【００１６】
本体部１０の裏面には、本体部１０の長手方向の両端部に２つの当接部１１が設けられる。当接部１１は、床面又は壁面等の設置面に当接する部分として形成される。２つの当接部１１は、例えば、双方が床面に設置されたり、一方が床面、他方が壁面に設置されたり、一方が高い床面、他方が低い床面に設置されたりする。
【００１７】
本体部１０の裏面には、２つの当接部１１の間に２つの切欠き部１２が設けられる。切欠き部１２は、本体部１０の裏面を表面側に切欠き又は窪ませて形成される。切欠き部１２は、本体部１０又は爪研ぎ器の持ち運び時に把持される部分として形成されてもよく、猫が隠れることができる空間として形成されてもよい。なお、切欠き部１２の数は、上記例に限定されない。
【００１８】
本体部１０の中心部には、本体部１０の長手方向の中央部に空洞部１３が設けられる。空洞部１３は、少なくとも一端が本体部１０の外部、例えば本体部１０の短手方向の側面に開口している。空洞部１３は、湯たんぽ、電気あんか、ヒータ等の熱源装置を配置する空間として形成される。なお、空洞部１３の数は、上記例に限定されない。
【００１９】
本体部１０は、本体部材１４と結合部材１５により形成される。本体部材１４は、本体部１０の短手方向に複数の段ボール片を重ねて形成される。段ボール片は、段ボールを本体部１０の長手方向の断面形状に相当する形状に切断して形成される。本体部材１４は、切断面の形状（中芯の波の大きさ、切断面の方向等）が異なる段ボール片を組合せて形成されてもよい。結合部材１５は、例えば、棒状の部材であり、短冊状の複数の段ボール片を重ねて接着して形成される。
【００２０】
本体部材１４には、結合部材１５が嵌め込まれる溝１６が設けられる。本実施形態では、本体部材１４の表面に設けられた３つの溝１６に３つの結合部材１５が嵌め込まれ、本体部材１４の裏面に当接部１１に対応して設けられた２つの溝１６に２つの結合部材１５が嵌め込まれる。結合部材１５は、例えば、溝１６より僅かに大きい断面を有するように形成されて溝１６に圧入されてもよく、接着剤を介して溝１６に挿入されてもよい。これにより、段ボール片の表面同士を接合することを要せずに、本体部１０を容易に形成することができる。なお、結合部材１５の数及び配置は、上記例に限定されない。
【００２１】
本体部１０の表面には、本体部１０の長手方向に並んで３つの凹部２０が設けられる。本体部１０における凹部２０が設けられた面は、凹部２０が設けられる部分が他の部分より窪むように本体部１０の長手方向に湾曲している。３つの凹部２０は、本体部２０の窪みを２つの仕切り部材、例えば前述した２つの結合部材１５で仕切ることにより形成される。凹部２０は、爪研ぎ部３０を収容する空間として形成される。なお、凹部２０の数は、上記例に限定されない。
【００２２】
図３に示すように、凹部２０は、開口長Ｌ１が底面長Ｌ２より短く、開口長Ｌ１が爪研ぎ部３０の長さＬ３より短く形成される。開口長Ｌ１は、凹部２０の上端同士を底面形状に則って結んだ長さであり、底面長Ｌ２は、凹部２０の下端同士を底面に沿って結んだ長さである。開口長Ｌ１及び底面長Ｌ２はいずれも、凹部２０に取り付けられる爪研ぎ部３０の段ボール片３３ａの重なり方向Ｄと一致する方向における長さである。爪研ぎ部３０の長さＬ３は、段ボール片３３ａの重なり方向Ｄにおける長さである。
【００２３】
凹部２０は、本体部１０の短手方向の中央部に設けられた第１の凹部２１と、本体部１０の短手方向の両側部に設けられて第１の凹部２１より深い第２の凹部２２とを有する。第２の凹部２２は、凹部２０に取り付けられた爪研ぎ部３０の一部が係合する被係合部として形成される。
【００２４】
凹部２０は、第２の凹部２２に設けられて第２の凹部２２より深い第３の凹部２３を有する。第３の凹部２３は、凹部２０に爪研ぎ部３０が取り付けられた状態で本体部１０の側面に露出している（図１参照）。第３の凹部２３は、凹部２０に取り付けられた爪研ぎ部３０を取り外す際に指が挿入される挿入部として形成される。
【００２５】
つぎに、爪研ぎ部３０について説明する。なお、以下では、爪研ぎ部３０において爪研ぎ面３１となる側の面を「表面」、これと反対側の面を「裏面」という。また、爪研ぎ部３０において本体部１０の短手方向に対応する方向を「短手方向」、これと直交して爪研ぎ部３０が延びる方向を「長手方向」という。
【００２６】
爪研ぎ部３０の裏面には、爪研ぎ部３０の短手方向の中央部に板状部材３２が設けられる。板状部材３２は、段ボール片、合成樹脂シート、金属シート、ゴムシート、板片等の可撓性部材である。
【００２７】
爪研ぎ部３０の表面には、爪研ぎ面３１を形成する爪研ぎ部材３３が設けられる。爪研ぎ部材３３は、複数の段ボール片３３ａを重ねて形成される（図３参照）。段ボール片３３ａは、爪研ぎ部材３３の短手方向の断面形状に相当する形状を有する。爪研ぎ部材３３は、凹部２０の全体を覆うように、凹部２０の深さと実質的に同一の高さで形成される。
【００２８】
段ボール片３３ａは、爪研ぎ面３１を形成する一方の端面と、この端面と反対側の他方の端面とに、段ボールの紙幅方向と交差する面が露出している。これにより、爪研ぎ部材３３の表面に段ボールの中芯の波目が現れるので、爪研ぎ面３１による爪研ぎが確実に行われる。
【００２９】
爪研ぎ部３０は、互いに接合されずに重ねられた複数の段ボール片３３ａを重なり方向Ｄに延びる板状部材３２の表面に接合して形成される（図３参照）。ここで、「互いに接合されず」とは、段ボール片３３ａの紙面（重なり方向Ｄに直交する面）同士が実質的に接合されていないことを意味する。具体的には、爪研ぎ部３０は、接着剤、合成樹脂等を用いて、複数の段ボール片３３ａの下端面を板状部材３２の表面に接合して形成される。
【００３０】
爪研ぎ部３０の裏面には、爪研ぎ部３０の短手方向の両側部に２つの係合部３４が設けられる。係合部３４は、板状部材３２の配置平面から爪研ぎ部材３３の一部を下向きに突出させて形成される。係合部３４は、本体部１０の第２の凹部２２、つまり被係合部に係合する部分として形成される。
【００３１】
係合部３４は、爪研ぎ部３０の短手方向において第２の凹部２２よりも僅かに幅広（Ｌ４＞Ｌ５）に形成される（図４参照）。係合部３４と板状部材３２との境界には、爪研ぎ部３０の短手方向の外側に向けて楔状の切り込み３４ａが設けられる。切り込み３４ａによって、爪研ぎ部３０が凹部２０に取り付けられた状態では、爪研ぎ部３０の短手方向において係合部３４から本体部１０に対して付勢力（係合力）が作用する。
【００３２】
本体部１０の長手方向中央部に位置する爪研ぎ部３０の板状部材３２には、開口部３２ａが設けられる（図３及び図４参照）。開口部３２ａは、爪研ぎ面３１を形成する一方の端面と、この端面と反対側の端面とを連通させる。これにより、空洞部１３と爪研ぎ面３１とは、空洞部１３の上方の段ボール片の中芯断面と、開口部３２ａと、開口部３２ａの上方の段ボール片の中芯断面とを介して連通する。なお、開口部３２ａは、２つ以上設けられてもよい。開口部３２ａによって、空洞部１３に配置された熱源装置により温められた空気を爪研ぎ面３１に伝達して温暖な空間を形成することで、爪研ぎ面３１へのアクセスを猫に促すことができる。
【００３３】
爪研ぎ部３０の長さＬ３は、板状部材３２が曲げられていない状態で、凹部２０の開口長Ｌ１より長い（図３参照）。爪研ぎ部３０の長さＬ３は、段ボール片３３ａの重なり方向Ｄにおける長さである。爪研ぎ部３０は、開口長Ｌ１より短く撓んだ状態で凹部２０へ進入され、撓み状態を解かれて開口長Ｌ１より長く復元した状態で凹部２０に係合して取り付けられる。
【００３４】
以下では、図５及び図６を参照して本発明の実施形態に係る猫用爪研ぎ器の作用について説明する。
【００３５】
図５は、爪研ぎ部３０の取付け手順を示す断面図である。爪研ぎ部３０の取付けに際して、まず、図５（ａ）に示すように、凹部２０の開口長Ｌ１より短くなるように、爪研ぎ部３０が段ボール片３３ａの重なり方向Ｄに沿って撓ませられる。爪研ぎ部３０は、例えば、重なり方向Ｄの両端部を左右の手で把持し、板状部材３２の中央部が上方に突出するように、板状部材３２をＦ１の方向に曲げることにより、段ボール片３３ａの上端面同士の間隔が広がるように撓ませられる。
【００３６】
ここで、爪研ぎ部３０は、互いに接合されずに重ねられた複数の段ボール片３３ａを重なり方向Ｄに延びる板状部材３２の表面に接合して形成されているので、板状部材３２を曲げることにより、重なり方向Ｄに沿って爪研ぎ部３０を容易に撓ませることができる。
【００３７】
つぎに、爪研ぎ部３０の係合部３４を本体部１０の第２の凹部２２と位置合わせした状態で、図５（ｂ）に示すように、爪研ぎ部３０が凹部２０へ進入させられる。なお、爪研ぎ部３０は、爪研ぎ部材３３の上端の長さが凹部２０の開口長Ｌ１より多少大きくても、段ボール片３３ａの弾力性により重なり方向Ｄに沿って圧縮された状態で凹部２０へ進入させられる。このように、重なり方向Ｄに沿って爪研ぎ部３０を撓ませて開口長Ｌ１より短くすることにより、爪研ぎ部３０を凹部２０へ容易に進入させることができる。
【００３８】
そして、凹部２０へ爪研ぎ部３０が進入すると、図５（ｃ）に示すように、爪研ぎ部３０の撓み状態が解かれて、爪研ぎ部３０の両端部が凹部２０に係合（係合力Ｆ２）して取り付けられる。このように、凹部２０へ進入した爪研ぎ部３０が撓み状態を解かれて開口長Ｌ１より長く復元することにより、爪研ぎ部３０を凹部２０から容易に外れ難くすることができる。また、爪研ぎ部３０の両側部の係合部３４が本体部１０の両側の第２の凹部２２に係合し、爪研ぎ部３０の両側から本体部１０に係合力（図６の係合力Ｆ３）が作用する。
【００３９】
なお、爪研ぎ部３０の取り外しに際しては、本体部１０に対して爪研ぎ部３０が持ち上げられる。爪研ぎ部３０は、例えば、本体部１０の両側の第３の凹部２３に指を挿入し、爪研ぎ部３０の係合部３４を把持した状態で持ち上げられる。
【００４０】
爪研ぎ部３０が持ち上げられる際には、爪研ぎ部３０の両側から本体部１０に作用する係合力（図６の係合力Ｆ３）に抗して、第２の凹部２２に対する係合部３４の係合が解かれる。また、凹部２０の長手方向の両端部に爪研ぎ部３０の両端部が引っ掛かることにより、凹部２０の開口長Ｌ１より短くなるように、爪研ぎ部３０が段ボール片３３ａの重なり方向Ｄに沿って撓む。これにより、爪研ぎ部３０が凹部２０の開口を通じて凹部２０から取り外される。
【００４１】
図６は、爪研ぎ時の爪研ぎ面３１に作用する力を示す断面図である。爪研ぎ時には、猫が爪研ぎ面３１を引っ掻くことにより、本体部１０から爪研ぎ部３０を離脱させる力Ｆ４、Ｆ５が爪研ぎ面３１に作用する。
【００４２】
しかし、図６（ａ）に示すように、爪研ぎ面３１の長手方向に作用する離脱力Ｆ４には、凹部２０と爪研ぎ部３０との間に作用する係合力Ｆ２により抵抗することができる。また、図６（ｂ）に示すように、爪研ぎ面３１の短手方向に作用する離脱力Ｆ５には、凹部２０と爪研ぎ部３０との間に作用する係合力Ｆ３により抵抗することができる。したがって、爪研ぎ時における爪研ぎ部３０の外れを防止することができる。
【００４３】
以上説明したように、本発明の実施形態に係る猫用爪研ぎ器によれば、爪研ぎ部３０は、互いに接合されずに重ねられた複数の段ボール片３３ａを重なり方向Ｄに延びる板状部材３２の表面に接合して形成されているので、板状部材３２を曲げることにより、重なり方向Ｄに沿って爪研ぎ部３０を容易に撓ませることができる。
【００４４】
そして、凹部２０は、開口長Ｌ１が底面長Ｌ２より短く形成され、開口長Ｌ１が重なり方向Ｄにおける爪研ぎ部３０の長さＬ３より短く形成されている。このため、重なり方向Ｄに沿って爪研ぎ部３０を撓ませて開口長Ｌ１より短くすることにより、爪研ぎ部３０を凹部２０へ容易に進入させて取り付けることができる。また、凹部２０へ進入した爪研ぎ部３０が撓み状態を解かれて開口長Ｌ１より長く復元することにより、爪研ぎ部３０を凹部２０から容易に外れ難くすることができる。
【００４５】
また、本体部１０における凹部２０が設けられた面は、凹部２０が設けられる部分が他の部分より窪むように本体部１０の長手方向に湾曲している。これにより、本体部１０の湾曲によって、開口長Ｌ１より長い底面長Ｌ２を有する凹部２０を容易に形成することができる。
【００４６】
また、凹部２０は、本体部１０の短手方向の中央部に設けられた第１の凹部２１と、本体部１０の短手方向の両側部に設けられて第１の凹部２１より深い第２の凹部２２とを有し、爪研ぎ部３０の短手方向の両側部には、第２の凹部２２に係合する係合部３４が設けられている。これにより、第２の凹部２２に係合部３４を係合することにより、本体部１０と爪研ぎ部３０との係合を容易に確保することができる。
【００４７】
また、凹部２０は、第２の凹部２２に設けられて第２の凹部２２より深い第３の凹部２３を有し、第３の凹部２３は、凹部２０に爪研ぎ部３０が取り付けられた状態で本体部１０の側面に露出している。これにより、第３の凹部２３に指等を挿入することにより、本体部１０から爪研ぎ部３０を容易に取り外すことができる。
【００４８】
また、爪研ぎ部３０は、爪研ぎ面３１を形成する一方の端面と、この端面と反対側の他方の端面に、段ボールの紙幅方向と交差する面が露出している。これにより、爪研ぎ面３１に現れる段ボールの中芯の波目に対して爪を確実に引っ掻けることができる。
【００４９】
また、板状部材３２には、爪研ぎ面３１を形成する一方の端面と、この端面と反対側の他方の端面とを連通させる開口部３２ａが設けられている。これにより、爪研ぎ面３１とは反対側に熱源装置を配置することにより、熱源装置から生じる熱により爪研ぎ面３１を温暖に保つことができる。
【００５０】
なお、前述した実施形態は、本発明に係る猫用爪研ぎ器の最良な実施形態を説明したものであり、本発明に係る猫用爪研ぎ器は、本実施形態に記載したものに限定されるものではない。本発明に係る猫用爪研ぎ器は、各請求項に記載した発明の要旨を逸脱しない範囲で本実施形態に係る猫用爪研ぎ器を変形し、または他のものに適用したものであってもよい。
【００５１】
例えば、前述した実施形態では、段ボールにより本体部１０を形成する場合について説明した。しかし、本体部１０は、段ボール、厚紙、合成紙、合成樹脂、木のいずれか１つ以上により形成されてもよい。また、段ボールにより本体部１０を形成する場合、段ボール片の重なり方向は、適宜選択することができるが、爪研ぎ部３０における段ボール片３３ａの重なり方向Ｄと直交させることにより、爪研ぎ器の剛性を高めることができる。
【００５２】
また、前述した実施形態では、凹部２０に取り付けられた状態で、段ボール片３３ａの重なり方向Ｄが本体部１０の長手方向と一致するように爪研ぎ部３０を形成する場合について説明した。しかし、爪研ぎ部３０は、段ボール片３３ａの重なり方向Ｄが本体部１０の短手方向と一致するように形成されてもよい。
【００５３】
また、前述した実施形態では、凹部２０が設けられる部分が他の部分より窪むように本体部１０の長手方向に湾曲させて本体部１０の表面を形成する場合について説明した。しかし、本体部１０の表面は、凹部２０が設けられる部分が他の部分より膨らむように形成されてもよく、平坦に形成されてもよい。この場合、凹部２０の開口長Ｌ１が底面長Ｌ２より短くなるように、凹部２０の断面形状を調節すればよい。
【００５４】
また、前述した実施形態では、本体部１０の表面に複数の凹部２０を設け、凹部２０同士の間で開口長Ｌ１及び底面長Ｌ２を同一とする場合について説明した。しかし、複数の凹部２０は、互いに異なる寸法で形成されてもよい。
【００５５】
また、前述した実施形態では、本体部１０と爪研ぎ部３０の係合を実現するために、第１の凹部２１の両側部に第２の凹部２２を設け、爪研ぎ部３０の両側に凸状の係合部３４を設ける場合について説明した。しかし、本体部１０と爪研ぎ部３０の係合は、例えば、凹凸の位置、数等を変更した他の構成により実現されてもよい。
【符号の説明】
【００５６】
１０…本体部、２０…凹部、２１…第１の凹部、２２…第２の凹部、２３…第３の凹部、３０…爪研ぎ部、３１…爪研ぎ面、３２…板状部材、３３…爪研ぎ部材、３３ａ…段ボール片、３４…係合部。
【図１】
0005627143.tif 000002
【図２】
0005627143.tif 000003
【図３】
0005627143.tif 000004
【図４】
0005627143.tif 000005
【図５】
0005627143.tif 000006
【図６】
0005627143.tif 000007